(57)【要約】【課題】アンライセンスバンドのSCellを用いてキャリアアグリゲーションする際に、好適なSCellを選択すること。【解決手段】ライセンスバンドのPCell及びアンライセンスバンドのSCellを用いてキャリアアグリゲーションを行う通信方法であって、複数の副基地局２の夫々について、主基地局１及び通信装置３の間の通信品質と、副基地局２及び通信装置３の間の通信品質との差分を推定する推定ステップと、副基地局２の夫々について推定した差分に基づいて、複数の副基地局２の中からキャリアアグリゲーションを行う副基地局２を決定する決定ステップと、を含む通信方法。【選択図】図２
2016167752.tif 000002
【特許請求の範囲】
【請求項１】
ライセンスバンドの主セル及びアンライセンスバンドの副セルを用いてキャリアアグリゲーションを行う通信方法であって、
前記副セルを形成する複数の副基地局の夫々について、前記主セルを形成する主基地局及び通信装置の間の通信品質と、前記副基地局及び前記通信装置の間の通信品質との差分を推定する推定ステップと、
前記副基地局の夫々について推定した前記差分に基づいて、複数の前記副基地局の中からキャリアアグリゲーションを行う副基地局を決定する決定ステップと、
を含む通信方法。
【請求項２】
前記推定するステップでは、
前記副基地局が前記通信装置に対してパケットを送信してから、前記副基地局において前記通信装置の応答パケットを受信するまでの往復遅延時間及び前記パケットのロス率の何れかに基づいて、前記通信品質の差分を推定する、
請求項１に記載の通信方法。
【請求項３】
前記推定するステップでは、
前記主基地局が、前記通信装置に対して直接送信したパケットが前記通信装置に到達した到達時刻と、前記通信装置に対して前記副基地局を介して送信したパケットが前記通信装置に到達した到達時刻との差分時間及び前記パケットのロス率の何れかに基づいて、前記通信品質の差分を推定する、
請求項１又は２に記載の通信方法。
【請求項４】
前記推定するステップでは、
前記副基地局が周囲の無線親機から定期的に送信されるビーコンパケットを検知するステップと、
前記ビーコンパケットを検知した時刻と前記定期的なタイミングとの時間差に基づいて、前記通信品質の差分を推定するステップと、
を含む請求項１から３の何れか１項に記載の通信方法。
【請求項５】
前記推定するステップでは、
前記副基地局が実行するキャリアセンスに基づいて把握されるチャネル使用率に基づいて、前記通信品質の差分を推定する、
請求項１から４の何れか１項に記載の通信方法。
【請求項６】
前記推定するステップでは、
キャリアアグリゲーション実行中に通信されるデータパケットを用いて、前記通信品質の差分を推定する、
請求項１から５の何れか１項に記載の通信方法。
【請求項７】
ライセンスバンドの主セルを形成する主基地局であって、
アンライセンスバンドの副セルを形成する複数の副基地局の夫々について、自局及び通信装置の間の通信品質と、前記副基地局及び前記通信装置の間の通信品質との差分を推定する推定部と、
前記副基地局の夫々について推定した前記差分に基づいて、複数の前記副基地局の中からキャリアアグリゲーションを行う副基地局を決定する決定部と、
を備える主基地局。
【発明の詳細な説明】
【技術分野】
【０００１】
本発明は、アンライセンスバンドを用いてキャリアアグリゲーションする通信方法及び主基地局に関する。
【背景技術】
【０００２】
第４世代移動通信と呼ばれるLTE（登録商標、Long Term Evolution）-Advancedシステムでは、複数の異なる周波数帯の電波を同時に運用することで、通信の高速化や安定化を図るキャリアアグリゲーション（Carrier Aggregation）が採用されている。キャリアアグリゲーションでは、通信装置の初期接続時に設定されるPCell（Primary Cell）に対して、少なくとも一つのSCell（Secondary Cell）を統合し、細切れの帯域を広帯域化することで、通信の高速化等を実現する。
3GPP（登録商標、3rd Generation Partnership Project）のTS36.300V12.3.0に示すように、LTE-Aシステムでは、統合するPCell及びSCellを共にライセンスバンド（Licensed band）で用いることを想定している。
【０００３】
また、非特許文献１に示すように、近年、3GPPでは、次世代移動体通信システムの仕様検討の一環として、LAA-LTE（Licensed-Assisted Access-LTE）が検討されている。LAA-LTEは、非LTE通信で使われているアンライセンスバンド（Unlicensed band）において、LTE通信を実施する際に、両通信の効果を最大化するための技術である。
なお、ライセンスバンドとは、無線局の設置に免許が必要な周波数帯であり、アンライセンスバンドとは、無線局の設置に免許が不要な周波数帯である。
【先行技術文献】
【非特許文献】
【０００４】
【非特許文献１】3GPP, “Study on Licensed-Assisted Access using LTE,” RP-141664, Sept. 2014.
【発明の概要】
【発明が解決しようとする課題】
【０００５】
キャリアアグリゲーションする際には、PCell及びSCellで品質差が小さいことが要求されており、例えば、PCellのパケットとSCellのパケットとで受信時刻のずれが３０μｓを超えてはならない。LTE-Aシステムでは、PCell及びSCell共にライセンスバンドを利用しており、通信チャネルを占有することができるため、SCellの受信電力が一定以上であれば、品質に差がなく統合（キャリアアグリゲーション）することができる。
そのため、LTE-Aシステムでは、キャリアアグリゲーションするか否かの判定をSCellの受信電力を用いて行うこととしている。
【０００６】
しかしながら、LAA-LTEシステムでは、アンライセンスバンドのSCellを用いることとしているため、単にSCellの受信電力を用いた判定では、以下に示す問題が生じてしまう。
ここで、図５に示す動作例を参照して、ライセンスバンドとアンライセンスバンドとを用いてキャリアアグリゲーションする際の問題点について説明する。
【０００７】
アンライセンスバンドでは、他のシステム（Wi-Fi（登録商標）や他事業者のLAA-LTE）と通信チャネルを共有するため、受信電力が高くても、パケットの衝突による再送やキャリアセンス等によって遅延が生じる恐れがある。図５に示す例では、アンライセンスバンドで送信されるパケット２ｂは、外部要因によって、ライセンスバンドで送信されるパケット２ａに対して遅延している。
この遅延が大きくなり受信時刻のずれが３０μｓを超えてしまうと、受信側で信号の合成を行うことができずにパケットの再送原因となり、かえって通信品質が劣化してしまう。また、受信電力を用いた判定では、受信電力が低くてもPCellとの品質差が小さいSCellが存在する場合に、当該SCellをキャリアアグリゲーション先として選択しにくいという問題も生じる。
【０００８】
本発明は、このような問題に鑑みてなされたものであり、アンライセンスバンドのSCellを用いてキャリアアグリゲーションする際に、好適なSCellを選択可能な通信方法及び主基地局を提供することを目的とする。
【課題を解決するための手段】
【０００９】
本発明の第１の態様においては、ライセンスバンドの主セル及びアンライセンスバンドの副セルを用いてキャリアアグリゲーションを行う通信方法であって、前記副セルを形成する複数の副基地局の夫々について、前記主セルを形成する主基地局及び通信装置の間の通信品質と、前記副基地局及び前記通信装置の間の通信品質との差分を推定する推定ステップと、前記副基地局の夫々について推定した前記差分に基づいて、複数の前記副基地局の中からキャリアアグリゲーションを行う副基地局を決定する決定ステップとを含む通信方法を提供する。
【００１０】
また、前記推定するステップでは、前記副基地局が前記通信装置に対してパケットを送信してから、前記副基地局において前記通信装置の応答パケットを受信するまでの往復遅延時間及び前記パケットのロス率の何れかに基づいて、前記通信品質の差分を推定することとしてもよい。
【００１１】
また、前記推定するステップでは、前記主基地局が、前記通信装置に対して直接送信したパケットが前記通信装置に到達した到達時刻と、前記通信装置に対して前記副基地局を介して送信したパケットが前記通信装置に到達した到達時刻との差分時間及び前記パケットのロス率の何れかに基づいて、前記通信品質の差分を推定することとしてもよい。
【００１２】
また、前記推定するステップでは、前記副基地局が周囲の無線親機から定期的に送信されるビーコンパケットを検知するステップと、前記ビーコンパケットを検知した時刻と前記定期的なタイミングとの時間差に基づいて、前記通信品質の差分を推定するステップとを含むこととしてもよい。
【００１３】
また、前記推定するステップでは、前記副基地局が実行するキャリアセンスに基づいて把握されるチャネル使用率に基づいて、前記通信品質の差分を推定することとしてもよい。
【００１４】
また、前記推定するステップでは、キャリアアグリゲーション実行中に通信されるデータパケットを用いて、前記通信品質の差分を推定することとしてもよい。
【００１５】
本発明の第２の態様においては、ライセンスバンドの主セルを形成する主基地局であって、アンライセンスバンドの副セルを形成する複数の副基地局の夫々について、自局及び通信装置の間の通信品質と、前記副基地局及び前記通信装置の間の通信品質との差分を推定する推定部と、前記副基地局の夫々について推定した前記差分に基づいて、複数の前記副基地局の中からキャリアアグリゲーションを行う副基地局を決定する決定部とを備える主基地局を提供する。
【発明の効果】
【００１６】
本発明によれば、アンライセンスバンドのSCellを用いてキャリアアグリゲーションする際に、好適なSCellを選択することができる。
【図面の簡単な説明】
【００１７】
【図１】通信システムの構成を示す図である。
【図２】主基地局の機能構成を示すブロック図である。
【図３】キャリアアグリゲーションを行う副基地局の決定方法の一例を示す図である。
【図４】通信システムの処理の流れを示すフローチャートである。
【図５】ライセンスバンドとアンライセンスバンドとを用いてキャリアアグリゲーションする際の動作を示す図である。
【発明を実施するための形態】
【００１８】
［通信システムＳの構成］
初めに、図１を参照して、通信システムＳの構成について説明する。通信システムＳは、ユーザが所有する携帯電話やスマートフォン等の通信装置３に対して所定の無線環境を提供する無線システムであり、主基地局１と、複数の副基地局２（副基地局２−１、副基地局２−２・・・副基地局２−ｎ（但しｎは３以上の自然数））とを含んで構成される。
なお、図１に示す例では、一の主基地局１に対して複数の副基地局２が設けられることを示すものであり、主基地局１は、通信システムＳにおいて複数設けられている。
【００１９】
主基地局１は、通信事業者が設置しているLTE方式の無線通信に対応した無線基地局（eNodeB）であり、ライセンスバンドのPCell１０（主セル）を形成する。副基地局２は、通信事業者やその他任意の事業者又は個人が設置している無線基地局（例えば、無線ＬＡＮのアクセスポイント等）であり、夫々がアンライセンスバンドのSCell２０（副セル、SCell２０−１、SCell２０−２・・・SCell２０−ｎ（但しｎは３以上の自然数））を形成する。
主基地局１と副基地局２とは、有線又は無線を介して互いに直接又は間接に通信することが可能であるように接続されている。
【００２０】
主基地局１は、キャリアアグリゲーションする際に、パケット衝突による再送やキャリアセンスによる遅延といったアンライセンスバンド特有の事象を考慮して、複数の副基地局２の中から少なくとも一の副基地局２を選択する。以下、主基地局１の詳細について説明する。
【００２１】
［主基地局１の構成］
図２は、主基地局１の機能構成を示すブロック図である。図２に示すように、主基地局１は、通信部１１と推定部１２と決定部１３とを含んで構成される。
通信部１１は、有線又は無線を介して副基地局２の夫々又は通信装置３から測定結果を受信する。なお、通信部１１が受信する測定結果の詳細は、図３で後述する。
【００２２】
推定部１２は、通信部１１が受信した測定結果に基づいて、副基地局２の夫々について、主基地局１及び通信装置３の間の通信品質と、副基地局２及び通信装置３の間の通信品質との差分を推定する。
決定部１３は、複数の副基地局２の夫々について推定した通信品質の差分に基づいて、複数の副基地局２の中からキャリアアグリゲーションによる通信を行う副基地局２を決定する。なお、決定部１３は、キャリアアグリゲーションを行う副基地局２として、一の副基地局２を決定することとしてもよく、また、複数の副基地局２を決定することとしてもよい。
【００２３】
ここで、キャリアアグリゲーションを行う副基地局２の決定方法の一例を図３に示す。なお、図３において、通信装置３Ａは、これから通信を開始する通信装置であり、通信装置３Ｂは、既にキャリアアグリゲーションを利用して通信している通信装置である。
【００２４】
［方法１］
図３（Ａ）は、方法１の動作例を示す図である。方法１では、副基地局２と通信装置３Ａとの間のACK応答の遅延時間TU及びパケットロス率PUの何れかに基づいて、通信品質の差分を推定する。
具体的には、図３（Ａ）に示すように、SCell２０を形成する副基地局２は、通信装置３Ａに対して、複数（ｍ１個）のプローブパケットを送信するとともに、通信装置３Ａから当該プローブパケットに対する複数（ｍ２個）のACK応答を受信する。そして、副基地局２は、プローブパケットの送信時刻Ｔ１とACK応答の受信時刻Ｔ２との差分（Ｔ２−Ｔ１）から、ｍ２個の遅延時間ＴＵを算出し、また、プローブパケットの送信数ｍ１とACK応答の受信数ｍ２とから、パケットロス率ＰＵ（ｍ２／ｍ１）を算出する。
【００２５】
方法１では、これらｍ２個の遅延時間ＴＵ及び／又はパケットロス率ＰＵが測定結果として副基地局２から主基地局１に対して送信される。なお、副基地局２から送信される測定結果は、遅延時間ＴＵ及び／又はパケットロス率ＰＵそのものであってもよく、遅延時間ＴＵ及び／又はパケットロス率ＰＵを算出するために必要な情報（送信時刻Ｔ１や受信時刻Ｔ２等）であってもよい。
【００２６】
方法１において、推定部１２は、受信した遅延時間ＴＵ及びパケットロス率ＰＵの何れかに基づいて、ライセンスバンドを用いた場合とアンライセンスバンドを用いた場合との通信品質の差分を推定する。例えば、推定部１２は、主基地局１と通信装置３との間のACK応答の遅延時間ＴＬとｍ１個の遅延時間ＴＵの中央値とを比較することで通信品質の差分を推定する。また、推定部１２は、パケットロス率ＰＵが所定の閾値を満たすか否か判定することで、通信品質の差分を推定する。
なお、主基地局１と通信装置３との間の遅延時間ＴＬは、任意の方法により取得することができる。例えば、主基地局１が過去に任意の通信装置３との間で測定しておいた遅延時間を、遅延時間ＴＬとして用いることができる。
【００２７】
決定部１３は、遅延時間ＴＬと遅延時間ＴＵの中央値との差分が３０μｓを超える副基地局２と通信装置３との組み合わせ、又はパケットロス率ＰＵが５０％を超える副基地局２と通信装置３との組み合わせではキャリアアグリゲーションを行わず、遅延時間ＴＬと遅延時間ＴＵの中央値との差分が３０μｓ未満であり、且つ、パケットロス率ＰＵが５０％未満である副基地局２を、キャリアアグリゲーションを行う副基地局２として決定する。
なお、条件を満たす副基地局２が複数存在する場合には、決定部１３は、遅延時間ＴＵの中央値が小さい副基地局２から優先して、キャリアアグリゲーションを行う副基地局２として決定する。
【００２８】
［方法２］
続いて、方法２について説明する。方法２は、方法１と同様に、通信装置３Ａとの間のACK応答の時間を用いて通信品質の差分を推定するものの、通信装置３Ａに対するプローブパケットの送信を副基地局２ではなく主基地局１側で直接行う点で方法１と異なる。
【００２９】
図３（Ｂ）に示すように、方法２では、主基地局１は、プローブパケットのセットを複数（ｍ１個）作成し、一組のセットを同時に通信装置３Ａに対して送信する。具体的には、主基地局１は、セットの一方を、ライセンスバンドを用いて主基地局１から通信装置３Ａに直接送信し、もう一方を、副基地局２を経由してアンライセンスバンドを用いて通信装置３Ａに送信する。通信装置３Ａでは、ライセンスバンドでの受信時刻ＴＲＬとアンライセンスバンドでの受信時刻ＴＲＵとの時間差ΔＴＲ（ＴＲＬ−ＴＲＵ）を受信したｍ２組分算出し、時間差ΔＴＲの中央値ΔＴ及び受信数ｍ２を測定結果として主基地局１に対して送信する。主基地局１では、プローブパケットの送信数ｍ１と受信数ｍ２とから、プローブパケットのパケットロス率ＰＵを算出する。
なお、通信装置３Ａは、主基地局１に対して、時間差ΔＴＲの中央値ΔＴを測定結果として送信することとしてもよく、また、ｍ２組分の時間差ΔＴＲを測定結果として送信することとしてもよい。
【００３０】
方法２において、推定部１２は、時間差ΔＴＲの中央値ΔＴ及びパケットロス率ＰＵの何れかに基づいて、ライセンスバンドを用いた場合とアンライセンスバンドを用いた場合との通信品質の差分を推定する。また、決定部１３は、時間差の中央値ΔＴが３０μｓを超える副基地局２と通信装置３との組み合わせ、又はパケットロス率ＰＵが５０％を超える副基地局２と通信装置３との組み合わせではキャリアアグリゲーションを行わず、時間差の中央値ΔＴが３０μｓ未満であり、パケットロス率ＰＵが５０％未満である副基地局２を、キャリアアグリゲーションを行う副基地局２として決定する。
なお、条件を満たす副基地局２が複数存在する場合には、決定部１３は、時間差の中央値ΔＴが小さい副基地局２から優先して、キャリアアグリゲーションを行う副基地局２として決定する。
【００３１】
［方法３］
続いて、方法３について説明する。図３（Ｃ）に示すように、方法３では、副基地局２は、無線ＬＡＮのアクセスポイント等の無線親機から定期的に送信されるWi-Fiのビーコンパケットを常に検知し、ビーコンパケットを検知した時刻と定期的なタイミングとの時間差ΔＴＵを算出する。
副基地局２が形成するSCell２０は、アンライセンスバンドであるため他の無線システムの干渉を受ける。ビーコンパケットの検知時刻が定期的なタイミングから遅延している場合、周囲において干渉が生じており、副基地局２と通信装置３との間での通信でも同様の遅延が生じることになる。方法３では、定期的なタイミングからのずれである時間差ΔＴＵを、ライセンスバンドを用いた場合とアンライセンスバンドを用いた場合との通信品質の差分として用いる。
【００３２】
そのため、方法３では、副基地局２は、最新の時間差ΔＴＵを測定結果として主基地局１に対して送信する。なお、所定期間（例えば、１秒間）Wi-Fiのビーコンパケットを検知できない場合、周囲に干渉する無線システムは存在しないことが想定されるため、副基地局２は、主基地局１に対して時間差ΔＴＵを０秒として通知する。
【００３３】
方法３において、推定部１２は、時間差ΔＴＵから、ライセンスバンドを用いた場合とアンライセンスバンドを用いた場合との通信品質の差分を推定する。また、決定部１３は、時間差ΔＴＵが３０μｓ未満である副基地局２を、キャリアアグリゲーションを行う副基地局２として決定する。
なお、決定部１３は、時間差ΔＴＵが３０μｓ未満であるか否かではなく、主基地局１と通信装置３との間の遅延時間ＴＬと時間差ΔＴＵとの差分が３０μｓ未満であるか否かに基づいて、キャリアアグリゲーションを行う副基地局２として決定することとしてもよい。このとき、遅延時間ＴＬは、方法１と同様に、主基地局１が過去に任意の通信装置３との間で測定しておいた遅延時間から取得することができる。
【００３４】
以上説明した方法１から方法３は、対象となる通信装置３が未だキャリアアグリゲーションを開始しておらず、また、同一のSCell２０に在圏する他の通信装置３もキャリアアグリゲーションを行っていない状況において好適に用いられる。
続いて、方法４及び方法５について説明する。方法４は、対象となる通信装置３がキャリアアグリゲーション実行中であるか否かに関わらず好適に用いられ、また、方法５は、対象となる通信装置３がキャリアアグリゲーション実行中である場合に好適に用いられる。
【００３５】
［方法４］
方法４では、副基地局２は、常時（例えば、１ｍｓ毎に）キャリアセンスを実行し、キャリアセンスに基づいて把握されるSCell２０内の通信チャネルが空いている割合（チャネル使用率）を測定結果として、主基地局１に対して送信する。なお、副基地局２は、ある一定期間に通信チャネルが所定以上空いている場合（例えば、チャネル使用率が５０％未満）にのみ、測定結果を主基地局１に対して送信し、通信チャネルが所定以上空いていない場合には、測定結果を主基地局１に対して送信しないこととしてもよい。
【００３６】
方法４において、推定部１２は、チャネル使用率から、ライセンスバンドを用いた場合とアンライセンスバンドを用いた場合との通信品質の差分を推定する。具体的には、推定部１２は、SCell２０内のチャネル使用率が低い副基地局２ほど通信品質の差分が小さいと推定する。そして、決定部１３は、チャネル使用率が低い副基地局２から優先して、キャリアアグリゲーションを行う副基地局２として決定する。
なお、キャリアアグリゲーション実行中の副基地局２においてチャネル使用率が５０％を超えた場合（例えば、副基地局２から測定結果の通知が送信されなくなった場合）には、主基地局１は、現在の副基地局２とのキャリアアグリゲーションを放棄し、再度任意の方法によりキャリアアグリゲーション先の副基地局２を決定する。
【００３７】
［方法５］
通信装置３がキャリアアグリゲーションを行っている場合、図３（Ｄ）に示すように、通信装置３Ｂには、ライセンスバンド及びアンライセンスバンドを介して、データパケットが送信される。方法２では通信装置３が未だキャリアアグリゲーションを行っていないために、プローブパケットを用いて通信品質の差分を推定していたが、方法５では、キャリアアグリゲーション中に送信されるデータパケットを用いて通信品質の差分を推定する。
【００３８】
具体的には、方法５では、通信装置３Ｂは、主基地局１からライセンスバンドを介して送信されるデータパケットの受信時刻ＴＲＬと、副基地局２からアンライセンスバンドを介して送信されるデータパケットの受信時刻ＴＲＵとの時間差ΔＴＲ（ＴＲＬ−ＴＲＵ）を算出し、測定結果として主基地局１に対して送信する。
【００３９】
推定部１２は、時間差ΔＴＲから、ライセンスバンドを用いた場合とアンライセンスバンドを用いた場合との通信品質の差分を推定、具体的には、時間差ΔＴＲを通信品質の差分とする。また、決定部１３は、時間差ΔＴＲが３０μｓを超える場合、現在の副基地局２とのキャリアアグリゲーションを放棄し、再度任意の方法によりキャリアアグリゲーション先の副基地局２を決定する。
【００４０】
［方法６］
続いて、方法６について説明する。方法６は、対象となる通信装置３Ａと同一のSCell２０に在圏する他の通信装置３Ｂがキャリアアグリゲーションを実行している状況において好適に用いられる。
方法６では、主基地局１は、他の通信装置３Ｂのキャリアアグリゲーション中に方法５により時間差ΔＴＲを計測しているため、この時間差ΔＴＲを用いて通信品質の差分を推定し、通信装置３Ａがキャリアアグリゲーションを行う副基地局２を決定する。具体的には、主基地局１は、時間差ΔＴＲが３０μｓ未満である場合に、通信装置３Ｂが通信している副基地局２を通信装置３Ａのキャリアアグリゲーション先の副基地局として決定する。
【００４１】
［通信システムＳの処理］
以上、主基地局１の構成及び主基地局１がキャリアアグリゲーション先の副基地局２を決定する方法について説明した。続いて、通信システムＳの処理について説明する。図４は、通信システムＳの処理の流れを示すフローチャートである。
【００４２】
初めに、ステップＳ１において、通信装置３は、主基地局１に対して通信の要求を行う。この要求を受けると、ステップＳ２において、主基地局１は、副基地局２や通信装置３に対して副基地局２の通信品質の測定を要求する。
【００４３】
続いて、ステップＳ３において、副基地局２又は通信装置３は、測定処理を実行し、ステップＳ４において、測定結果を主基地局１に対して送信する。なお、ステップＳ３に示す測定処理は、通信装置３から通信の要求を受けたタイミングで行うこととしてもよく、また、ステップＳ３Ａ及びステップＳ４Ａに示すように通信装置３からの要求に関わらず任意のタイミングで行うこととしてもよく、また、ステップＳ３Ｂ及びステップＳ４Ｂに示すようにキャリアアグリゲーション実行中に行うこととしてもよい。
【００４４】
例えば、上述のようにプローブパケットに対するACK応答時間を用いる方法１や、ライセンスバンド及びアンライセンスバンドの双方から送信されるプローブパケットの受信時刻を用いる方法２は、対象の通信装置３を把握する必要があるため、通信装置３から通信の要求を受けたタイミングで行うことが好ましい（ステップＳ３、Ｓ４）。
また、定期的に送信されるビーコンパケットの遅延時間を用いる方法３は、対象の通信装置３を把握する必要がないため、任意のタイミングで行うことができる（ステップＳ３、Ｓ４又はステップＳ３Ａ、Ｓ４Ａ）。
【００４５】
また、副基地局２のチャネルの空き具合を用いる方法４や、キャリアアグリゲーション実行中の他の通信装置３におけるデータパケットの受信時刻を用いる方法６は、対象の通信装置３を把握する必要がなく、また、対象の通信装置３がキャリアアグリゲーション実行中にも行うことができるため、ステップＳ３，Ｓ４、ステップＳ３Ａ、Ｓ４Ａ又はステップＳ３Ｂ、Ｓ４Ｂの何れのタイミングにおいても行うことができる。
また、キャリアアグリゲーション実行中のデータパケットの受信時刻を用いる方法５は、対象の通信装置３がキャリアアグリゲーション実行中にのみ行うことができる（ステップＳ３Ｂ、Ｓ４Ｂ）。
【００４６】
副基地局２又は通信装置３から測定結果を受信すると、ステップＳ５において、主基地局１の推定部１２は、ライセンスバンドを用いた場合とアンライセンスバンドを用いた場合との通信品質の差分を推定する。続いて、ステップＳ６において、主基地局１の決定部１３は、キャリアアグリゲーション先の副基地局２を決定する。この処理では、決定部１３は、例えば、ライセンスバンドを用いた場合とアンライセンスバンドを用いた場合との時間差が３０μｓであり、パケットロス率が５０％未満である副基地局２をキャリアアグリゲーション先の副基地局２として決定する。
【００４７】
主基地局１がキャリアアグリゲーション先の副基地局２を決定すると、決定結果が主基地局１から通信装置３に通知され、ステップＳ７に示すように、その後、主基地局１及び副基地局２と通信装置３との間でキャリアアグリゲーションを用いた通信が行われる。
キャリアアグリゲーション実行中もステップＳ３Ｂに示すように測定処理が行われる。例えば、ライセンスバンドにおけるデータパケットの受信時刻とアンライセンスバンドにおけるデータパケットの受信時刻との差が３０μｓを超えると、ステップＳ８において、主基地局１は、現在の副基地局２とのキャリアアグリゲーションを放棄し、再度任意の方法によりキャリアアグリゲーション先の副基地局２を決定する。
【００４８】
［通信システムＳの効果］
以上、通信システムＳの一実施形態について説明した。このような通信システムＳによれば以下の効果を期待できる。
LAA-LTEシステムでは、現在、非LTE通信で使われているアンライセンスバンドにおいてLTE通信を実施することができる。LAA-LTEシステムにおいてキャリアアグリゲーションを実行する場合、ライセンスバンド（PCell）と、アンライセンスバンド（SCell）との統合が必要になるが、アンライセンスバンドは、他の無線システムと通信チャネルを共有しており、他の無線システムからの干渉を受ける。そのため、SCell−通信装置間の受信電力が高くても、パケットの衝突による再送やキャリアセンス等によって遅延が生じる恐れがあり、キャリアアグリゲーションの結果、かえって通信品質が劣化してしまう可能性が有る。
【００４９】
この点、通信システムＳでは、SCell−通信装置間の受信電力ではなく、PCell−通信装置間の通信品質と、SCell−通信装置間の通信品質の差分に基づいて、PCellに統合するSCellを決定する。具体的には、通信システムＳでは、通信に係る時間差が３０μｓ未満等の条件を満たすSCellをPCellに統合するSCellとして決定する。
これにより、通信システムＳでは、アンライセンスバンドのSCellを用いてキャリアアグリゲーションする際に、好適なSCellを決定することができる。また、このようにして決定したSCellを用いてキャリアアグリゲーションを実行することで、ライセンスバンドで送信されるデータパケットと、アンライセンスバンドで送信されるデータパケットとの受信時刻のずれが抑えられるため、LAA-LTEシステムにおいてもキャリアアグリゲーションを実行することができ、ユーザの利便性の高い通信サービスを提供することができる。
【００５０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００５１】
例えば、上記実施形態では、通信システムＳを構成するSCell２０の全てをアンライセンスバンドとしているが、これに限られるものではなく、一部のSCell２０がライセンスバンドであることを妨げるものではない。
【符号の説明】
【００５２】
１・・・主基地局
１０・・・PCell（主セル）
１１・・・通信部
１２・・・推定部
１３・・・決定部
２・・・副基地局
２０・・・SCell（副セル）
３・・・通信装置
Ｓ・・・通信システム
【図１】
2016167752.tif 000003
【図２】
2016167752.tif 000004
【図３】
2016167752.tif 000005
【図４】
2016167752.tif 000006
【図５】
2016167752.tif 000007